(57)【要約】    【課題】      伝送レート要求の受信性能を十分に保ちつつ、通信システム全体のスループットを上げること。    【解決手段】  ＳＩＲ測定部１１１は、逆拡散部１０８から出力された逆拡散後のパイロット信号から受信ＳＩＲを測定する。ＣＱＩ合成回数決定部１１２は、受信ＳＩＲに基づいて、ＣＱＩの復号時の合成回数を決定する。バッファ１１０に保持されているＣＱＩ信号の数が決定されたＣＱＩの合成回数に達したとき、バッファ１１０は、保持されているＣＱＩ信号を復号部１１４に出力する。復号部１１４は、バッファ１１０から出力されたＣＱＩ信号をＣＱＩ合成回数制御部１１３で決定された合成回数で復号する。スケジューラ１１５は、復号部１１４から出力されたＣＱＩ値に基づいて送信データの伝送レートを決定する。送信フレーム作成部１０１は、この伝送レートに基づいて送信フレームを作成する。  【選択図】      図１
2005167389.tif 000002
【特許請求の範囲】
【請求項１】
通信相手から同一内容の伝送レート要求信号を一または複数回繰り返して送信される無線信号を受信する受信手段と、
前記伝送レート要求信号の復号時に合成する回数を決定する合成回数決定手段と、
前記合成回数決定手段で決定した回数の前記伝送レート要求信号を復号して合成する復号手段と、
を具備することを特徴とする無線受信装置。
【請求項２】
前記受信した無線信号の尤度を測定する測定手段を具備し、
前記合成回数決定手段は、前記尤度に基づいて前記伝送レート要求信号の復号時に合成する回数を決定することを特徴とする請求項１に記載の無線受信装置。
【請求項３】
通信相手の移動速度を測定する移動速度検出手段を具備し、
前記合成回数決定手段は、前記移動速度に基づいて前記伝送レート要求信号の復号時に合成する回数を決定することを特徴とする請求項１または請求項２に無線受信装置。
【請求項４】
前記復号手段は、一つの伝送レート要求信号を復号し、
前記合成回数決定手段は、前記復号した伝送レート要求が低い場合、伝送レート要求が高い場合よりも合成する回数を少なくすると決定し、前記復号した伝送レート要求が高い場合、伝送レート要求が低い場合よりも合成する回数を多くすると決定することを特徴とする請求項１から請求項３のいずれかに記載の無線受信装置。
【請求項５】
前記合成回数決定手段は、受信した無線信号に含まれる再送要求の頻度を測定し、再送要求の頻度が所定の頻度以上である場合、伝送レート要求信号の復号時に合成する回数を多くすると決定することを特徴とする請求項１から請求項４のいずれかに記載の無線受信装置。
【請求項６】
前記通信相手が伝送レート要求を送信する際の所定の繰り返し回数より前記伝送レート要求信号の復号時に合成する回数が多くなる及び少なくなる回数をそれぞれ計数し、前記通信相手が伝送レート要求を送信する際の所定の繰り返し回数より前記伝送レート要求信号の復号時に合成する回数が多くなる回数が、所定の期間内で所定の回数以上である場合、上位装置に伝送レート要求信号の繰り返し送信回数を増加する要求信号を送信し、前記通信相手が伝送レート要求を送信する際の所定の繰り返し回数より前記伝送レート要求信号の復号時に合成する回数が少なくなる回数が、所定の期間内で所定の回数以上である場合、上位装置に伝送レート要求信号の繰り返し送信回数を減少する要求信号を送信する制御手段を具備することを特徴とする請求項１に記載の無線受信装置。
【請求項７】
前記復号手段は、伝送レート要求信号を受信する毎に伝送レート要求信号を合成して復調し、受信データの尤度また移動速度から信頼できる条件を設定し、復調後の伝送レート要求が前記条件を満たす場合、条件を満たした後の復号を中止し、条件を満たした時点での復号された伝送レート要求信号を復号結果とすることを特徴とする請求項１に記載の無線受信装置。
【請求項８】
請求項１から請求項７のいずれかに記載の無線受信装置と、
復号後の伝送レート要求信号から通信相手にデータの伝送レートを決定するスケジューラ手段と、
前記伝送レートに対応する方式でデータを送信する送信手段と、を具備することを特徴とする基地局装置。
【請求項９】
通信端末装置から同一内容の伝送レート要求信号を一または複数回繰り返して送信される無線信号を受信する第１受信手段と、
前記伝送レート要求信号の復号時に合成する回数を決定する合成回数決定手段と、
前記合成回数決定手段で決定した回数の前記伝送レート要求信号を復号して合成する復号手段と、
復号後の伝送レート要求信号から通信相手にデータの伝送レートを決定するスケジューラ手段と、
前記伝送レートに対応する方式でデータを送信する第１送信手段と、
前記通信端末装置が伝送レート要求を送信する際の所定の繰り返し回数より前記伝送レート要求信号の復号時に合成する回数が多くなる及び少なくなる回数をそれぞれ計数し、前記通信端末装置が伝送レート要求を送信する際の所定の繰り返し回数より前記伝送レート要求信号の復号時に合成する回数が多くなる回数が、所定の期間内で所定の回数以上である場合、上位装置に伝送レート要求信号の繰り返し送信回数を増加する要求信号を送信し、前記通信端末装置が伝送レート要求を送信する際の所定の繰り返し回数より前記伝送レート要求信号の復号時に合成する回数が少なくなる回数が、所定の期間内で所定の回数以上である場合、上位装置に伝送レート要求信号の繰り返し送信回数を減少する要求信号を送信する制御手段と、
を具備する基地局装置と、
受信信号の品質から通信可能な伝送レートを決定する決定手段と、
上位装置から前記伝送レートを要求する伝送レート要求信号の送信回数を受信する第２受信手段と、
前記送信回数で伝送レート要求信号を前記基地局装置に送信する第２送信手段と、
を具備する通信端末装置と、
前記基地局装置から送信された伝送レート要求信号の繰り返し送信回数の増加または減少の要求信号を受信する第３受信手段と、
前記要求信号から伝送レート要求信号の繰り返し送信回数を決定する送信回数決定手段と、
前記基地局装置と通信端末装置に決定した送信回数を送信する第３送信手段と、
を具備する上位装置と、
を具備し、
前記送信回数決定手段は、前記基地局装置から送信された伝送レート要求信号の繰り返し送信回数の増加または減少の要求信号に従って伝送レート要求信号の繰り返し送信回数を変更することを特徴とする無線通信システム。
【請求項１０】
通信相手から同一内容の伝送レート要求信号を一または複数回繰り返して送信される無線信号を受信し、
前記伝送レート要求信号の復号時に合成する回数を決定し、
決定した回数の前記伝送レート要求信号を復号して合成することを特徴とする受信方法。
【請求項１１】
通信相手から同一内容の伝送レート要求信号を一または複数回繰り返して送信される無線信号を受信する受信ステップと、
前記伝送レート要求信号の復号時に合成する回数を決定する合成回数決定ステップと、前記合成回数決定ステップで決定した回数の前記伝送レート要求信号を復号して合成する復号ステップと、をコンピュータに実行させる受信プログラム。
【発明の詳細な説明】
【技術分野】
【０００１】
本発明は、無線受信装置および受信方法に関し、特に高速パケット伝送を行う無線通信システムに用いて好適な無線受信装置およびデータの送信先である通信装置から送信された伝送レート要求の受信方法に関する。
【背景技術】
【０００２】
無線通信の分野では、パケットの送信先である通信装置から送信された伝送レート要求に基づいて通信装置に高速パケット伝送を行う方式が開発されている。特に、高速大容量な下りチャネルを複数の通信端末装置が共有し、基地局装置から通信端末装置にパケットを伝送する下り高速パケット伝送方式が開発されている。
【０００３】
この下り高速パケット伝送の中でも、より高速なＩＭＴ−２０００のパケット伝送方式として、下り回線のピーク伝送速度の高速化、低伝送遅延、高スループット化等を目的としたＨＳＤＰＡ（High Speed Downlink Packet Access）と呼ばれる方式が検討されている。ＨＳＤＰＡを構成する技術として、３ＧＰＰ（3rd Generation Partnership Project）には、ＡＭＣ（Adaptive Modulation and Coding：適応変調符号化）と呼ばれる伝送方式が開示されている（例えば非特許文献１）。
【０００４】
このＡＭＣ技術は、回線品質の変動に応じて、変調多値数、誤り訂正符号化レート等の適応変調パラメータを適応的にかつ高速に変更する技術である。ＡＭＣ技術では、回線品質が良好なほど、大きい変調多値数および符号化率を用いることで伝送レートを高速化できる。具体的には、通信端末装置で随時下り回線の伝搬路環境を測定し、この測定結果に基づく適応変調要求（ＣＱＩ：Channel Quality Indicator）を基地局装置に送信する。このＣＱＩは、適応変調パラメータの組に対応している。基地局装置は、通信端末装置から送信されたＣＱＩを受信し、受信したＣＱＩに基づいて送信データの伝送先となる通信端末装置を決定し、同時に最適な伝送レートを決定し、送信データを伝送する。
【０００５】
適応変調パラメータとして、変調多値数（例えば、ＱＰＳＫ（Quaternary Phase Shift Keying）または１６ＱＡＭ（Quadrature Amplitude Modulation）間で変更する）、符号化率（例えば、Ｒ＝１／３でターボ符号化し、パンクチャまたはリピティションすることで変更する）等が検討されている。一方、回線品質情報としては、例えば、ＳＩＲ（Signal to Interference Ratio）、ＣＩＲ（Carrier to Interference Ratio）、個別チャネル（例えば、ＤＰＣＨ（Dedicated Physical Channel））の送信電力等が用いられる。
【０００６】
従来の方式においては、通信端末装置から送信されたＣＱＩを基地局装置が誤って受信（誤受信）した場合、誤受信したＣＱＩに基づいて決定された伝送レートで通信端末装置に下り回線の送信を行うと、通信端末装置側では、要求したものと異なる伝送レートでデータが送信されているため、データを誤って受信してしまい、結果としてデータの再送を繰り返し、スループットの低下を招くという問題がある。
【０００７】
そこで、基地局装置でのＣＱＩの誤受信を防止するために、通信端末装置でＣＱＩの送信電力を上げることが考えられる。しかしながら、通信端末装置が送信する電力のリソースが限られているため、他のチャネルに多くの電力を割り当てた場合、ＣＱＩの送信電力を上げることが困難であるという問題がある。
【０００８】
また、基地局装置でのＣＱＩの誤受信を防止するために、通信端末装置で同じＣＱＩを所定の回数繰り返して送信することも考えられるが、基地局装置ではＣＱＩを所定の回数受信した後に復号結果が得られるため、通信端末装置が送信したＣＱＩを基地局装置に反映するまでの時間が遅くなり、反映時間の遅いＣＱＩに基づいて決定された伝送レートで通信端末装置に下り回線の送信を行うと、通信端末装置側では、下り回線の伝搬路環境が変化している場合、データを誤って受信してしまい、結果としてデータの再送を繰り返し、スループットの低下を招くという問題がある。
【非特許文献１】３ＧＰＰ ＴＲ２５.８４８ "Physical layer aspects of UTRA High Speed Downlink Packet Access"
【発明の開示】
【発明が解決しようとする課題】
【０００９】
このように、従来の装置においては、伝送レート要求の受信性能を十分に保ちつつ、通信システム全体のスループットを上げることが難しいという問題がある。
【００１０】
本発明はかかる点に鑑みてなされたものであり、伝送レート要求の受信性能を十分に保ちつつ、通信システム全体のスループットを上げることができる無線受信装置および受信方法を提供することを目的とする。
【課題を解決するための手段】
【００１１】
本発明の無線受信装置は、通信相手から同一内容の伝送レート要求信号を一または複数回繰り返して送信される無線信号を受信する受信手段と、前記伝送レート要求信号の復号時に合成する回数を決定する合成回数決定手段と、前記合成回数決定手段で決定した回数の前記伝送レート要求信号を復号して合成する復号手段と、を具備する構成を採る。
【００１２】
この構成によれば、伝送レート要求（例えばＣＱＩ）を少ない回数で合成して復号することにより、無線受信装置での伝送レート要求の反映時間を早くすることができる。また、伝送レート要求を多くの回数で合成して復号することにより、伝送レート要求の受信性能を向上させることができる。これらにより、データの送信先である通信装置で伝送レート要求の送信電力を上げることなく通信システム全体のスループットを上げることができる。
【００１３】
本発明の無線受信装置は、上記構成において、前記受信した無線信号の尤度を測定する測定手段を具備し、前記合成回数決定手段は、前記尤度に基づいて前記伝送レート要求信号の復号時に合成する回数を決定する構成を採る。
【００１４】
この構成によれば、受信データの尤度と伝送レート要求の受信性能の関係から、受信性能を十分に保つことができるように、伝送レート要求の復号時に合成する最適な回数を決定することにより、通信システム全体のスループットを上げることができる。また、この構成によれば、尤度が大きい場合、伝送レート要求の受信性能が良いため、伝送レート要求を少ない回数で合成して復号することにより、伝送レート要求の反映時間を早くすることができる。また、この構成によれば、尤度が小さい場合、伝送レート要求の受信性能が悪いため、伝送レート要求を多い回数で合成して復号することにより、伝送レート要求の受信性能を向上させることができる。
【００１５】
本発明の無線受信装置は、上記構成において、通信相手の移動速度を測定する移動速度検出手段を具備し、前記合成回数決定手段は、前記移動速度に基づいて前記伝送レート要求信号の復号時に合成する回数を決定する構成を採る。
【００１６】
この構成によれば、移動速度と伝送レート要求の受信性能の関係から、受信性能を十分に保つことができるように、伝送レート要求の復号時に合成する最適な回数を決定することにより、通信システム全体のスループットを上げることができる。
【００１７】
本発明の無線受信装置は、上記構成において、前記復号手段は、一つの伝送レート要求信号を復号し、前記合成回数決定手段は、前記復号した伝送レート要求が低い場合、伝送レート要求が高い場合よりも合成する回数を少なくすると決定し、前記復号した伝送レート要求が高い場合、伝送レート要求が低い場合よりも合成する回数を多くすると決定する構成を採る。
【００１８】
この構成によれば、伝送レート要求の復号時の合成回数を決定する前に、一つの伝送レート要求を合成回数１回でいったん復号し、復号された伝送レート要求の値が低い場合、通信システムに与える影響が小さいので、伝送レート要求を少ない回数で合成して復号することにより、伝送レート要求の反映時間を早くすることができる。また、この構成によれば、復号された伝送レート要求の値が高い場合、伝送レート要求自体の信頼性がより高いレベルで要求されるので、伝送レート要求を多い回数で合成して復号することにより、伝送レート要求の受信性能を向上させて、信頼性の高い伝送レート要求を得ることができる。
【００１９】
本発明の無線受信装置は、上記構成において、前記合成回数決定手段は、受信した無線信号に含まれる再送要求の頻度を測定し、再送要求の頻度が所定の頻度以上である場合、伝送レート要求信号の復号時に合成する回数を多くすると決定する構成を採る。
【００２０】
この構成によれば、無線受信装置が再送を要求する信号を多く受信している場合、無線受信装置が伝送レート要求を誤受信していると判断し、伝送レート要求を多い回数で合成して復号することにより、伝送レート要求の受信性能を向上させることができる。
【００２１】
本発明の無線受信装置は、上記構成において、前記通信相手が伝送レート要求を送信する際の所定の繰り返し回数より前記伝送レート要求信号の復号時に合成する回数が多くなる及び少なくなる回数をそれぞれ計数し、前記通信相手が伝送レート要求を送信する際の所定の繰り返し回数より前記伝送レート要求信号の復号時に合成する回数が多くなる回数が、所定の期間内で所定の回数以上である場合、上位装置に伝送レート要求信号の繰り返し送信回数を増加する要求信号を送信し、前記通信相手が伝送レート要求を送信する際の所定の繰り返し回数より前記伝送レート要求信号の復号時に合成する回数が少なくなる回数が、所定の期間内で所定の回数以上である場合、上位装置に伝送レート要求信号の繰り返し送信回数を減少する要求信号を送信する制御手段を具備する構成を採る。
【００２２】
この構成によれば、伝送レート要求信号の復号時に合成する回数が所定の回数連続して増加する場合、データの送信先である通信装置が伝送レート要求の繰り返し回数を多くして送信することにより、無線受信装置での伝送レート要求の受信性能を向上させることができる。また、伝送レート要求信号の復号時に合成する回数が所定の回数連続して減少する場合、データの送信先である通信装置が伝送レート要求の繰り返し回数を少なくして送信することにより、通信装置の電力を低減することができる。
【００２３】
本発明の無線受信装置は、上記構成において、前記復号手段は、伝送レート要求信号を受信する毎に伝送レート要求信号を合成して復調し、受信データの尤度また移動速度から信頼できる条件を設定し、復調後の伝送レート要求が前記条件を満たす場合、条件を満たした後の復号を中止し、条件を満たした時点での復号された伝送レート要求信号を復号結果とする構成を採る。
【００２４】
この構成によれば、伝送レート要求の復号を途中で中止することにより、伝送レート要求の受信性能を十分に保ちつつ、伝送レート要求の反映時間を早くすることができる。
【００２５】
本発明の基地局装置は、上記いずれかに記載の無線受信装置と、復号後の伝送レート要求信号から通信相手にデータの伝送レートを決定するスケジューラ手段と、前記伝送レートに対応する方式でデータを送信する送信手段と、を具備する構成を採る。
【００２６】
この構成によれば、上記と同様の作用効果を有する基地局装置を提供することができる。
【００２７】
本発明の無線通信システムは、通信端末装置から同一内容の伝送レート要求信号を一または複数回繰り返して送信される無線信号を受信する第１受信手段と、前記伝送レート要求信号の復号時に合成する回数を決定する合成回数決定手段と、前記合成回数決定手段で決定した回数の前記伝送レート要求信号を復号して合成する復号手段と、復号後の伝送レート要求信号から通信相手にデータの伝送レートを決定するスケジューラ手段と、前記伝送レートに対応する方式でデータを送信する第１送信手段と、前記通信端末装置が伝送レート要求を送信する際の所定の繰り返し回数より前記伝送レート要求信号の復号時に合成する回数が多くなる及び少なくなる回数をそれぞれ計数し、前記通信端末装置が伝送レート要求を送信する際の所定の繰り返し回数より前記伝送レート要求信号の復号時に合成する回数が多くなる回数が、所定の期間内で所定の回数以上である場合、上位装置に伝送レート要求信号の繰り返し送信回数を増加する要求信号を送信し、前記通信端末装置が伝送レート要求を送信する際の所定の繰り返し回数より前記伝送レート要求信号の復号時に合成する回数が少なくなる回数が、所定の期間内で所定の回数以上である場合、上位装置に伝送レート要求信号の繰り返し送信回数を減少する要求信号を送信する制御手段と、を具備する基地局装置と、受信信号の品質から通信可能な伝送レートを決定する決定手段と、上位装置から前記伝送レートを要求する伝送レート要求信号の送信回数を受信する第２受信手段と、前記送信回数で伝送レート要求信号を前記基地局装置に送信する第２送信手段と、を具備する通信端末装置と、前記基地局装置から送信された伝送レート要求信号の繰り返し送信回数の増加または減少の要求信号を受信する第３受信手段と、前記要求信号から伝送レート要求信号の繰り返し送信回数を決定する送信回数決定手段と、前記基地局装置と通信端末装置に決定した送信回数を送信する第３送信手段と、を具備する上位装置と、を具備し、前記送信回数決定手段は、前記基地局装置から送信された伝送レート要求信号の繰り返し送信回数の増加または減少の要求信号に従って伝送レート要求信号の繰り返し送信回数を変更する構成を採る。
【００２８】
この構成によれば、基地局装置が希望するＣＱＩ合成回数で通信端末装置がＣＱＩを繰り返し送信していない場合、基地局装置が上位装置にＣＱＩの繰り返し回数を変更して送信することを要求し、上位装置はＣＱＩの繰り返し回数を変更して送信する指示を、基地局装置を介して通信端末装置に送信し、通信端末装置はこの指示に従ってＣＱＩの繰り返し回数を変更して送信することにより、通信端末装置のＣＱＩを繰り返し送信する回数を適切な回数とすることができ、通信端末装置の電力を低減することと、基地局装置でのＣＱＩの受信性能を向上させることができる。
【００２９】
本発明の受信方法は、通信相手から同一内容の伝送レート要求信号を一または複数回繰り返して送信される無線信号を受信し、前記伝送レート要求信号の復号時に合成する回数を決定し、決定した回数の前記伝送レート要求信号を復号して合成するようにした。
【００３０】
この方法によれば、データの送信先である通信装置で伝送レート要求の送信電力を上げることなく通信システム全体のスループットを上げることができる。
【００３１】
本発明の受信プログラムは、通信相手から同一内容の伝送レート要求信号を一または複数回繰り返して送信される無線信号を受信する受信ステップと、前記伝送レート要求信号の復号時に合成する回数を決定する合成回数決定ステップと、前記合成回数決定ステップで決定した回数の前記伝送レート要求信号を復号して合成する復号ステップと、をコンピュータに実行させるようにした。
【００３２】
このプログラムによれば、データの送信先である通信装置で伝送レート要求の送信電力を上げることなく通信システム全体のスループットを上げることができる。
【発明の効果】
【００３３】
以上説明したように、本発明の無線受信装置及び受信方法によれば、データの送信先である通信装置が所定の回数繰り返して伝送レート要求を無線受信装置に送信し、受信データの尤度や移動速度から、無線受信装置が受信した伝送レート要求の復号時の合成回数を決定し、決定された合成回数に従って伝送レート要求を復号することで、伝送レート要求の受信性能を十分に保ちつつ、通信システム全体のスループットを上げることができる。
【発明を実施するための最良の形態】
【００３４】
本発明の骨子は、データの送信先である通信装置が所定の回数繰り返して伝送レート要求を無線受信装置に送信し、受信データの尤度や移動速度から、無線受信装置が受信した伝送レート要求の復号時の合成回数を決定し、決定された合成回数に従って伝送レート要求を復号することで、伝送レート要求の受信性能を十分に保ちつつ、通信システム全体のスループットを上げることである。
【００３５】
以下、本発明の実施の形態について図面を参照して詳細に説明する。
【００３６】
（実施の形態１）
図１は、本発明の実施の形態１に係る基地局装置の構成を示すブロック図である。また、図２は、本発明の実施の形態１に係る通信端末装置の構成を示すブロック図である。ここでは、図２の通信端末装置において、受信したデータのＳＩＲに基づいてＣＱＩを繰り返し送信する回数を決定し、図１の基地局装置において、測定した受信データの尤度に基づいて、伝送レート要求（ＣＱＩ）の復号時の合成回数を決定する例を説明する。なお、この例では、受信データの尤度として、基地局装置が受信した信号のＳＩＲを用いる。ここでは、基地局装置がＣＱＩ信号を受信する無線通信装置、通信端末装置がＣＱＩを送信する無線通信装置とする例について説明する。
【００３７】
図１において、基地局装置１００は、送信フレーム作成部１０１と、変調部１０２と、拡散部１０３と、送信無線部１０４と、アンテナ共用部１０５と、アンテナ１０６と、受信無線部１０７と、逆拡散部１０８と、復調部１０９と、バッファ１１０と、ＳＩＲ測定部１１１と、ＣＱＩ合成回数決定部１１２と、ＣＱＩ合成回数制御部１１３と、復号部１１４と、スケジューラ１１５とから主に構成される。
【００３８】
図２において、通信端末装置２００は、送信フレーム作成部２０１と、変調部２０２と、拡散部２０３と、送信無線部２０４と、アンテナ共用部２０５と、アンテナ２０６と、受信無線部２０７と、逆拡散部２０８と、復調部２０９と、復号部２１０と、ＳＩＲ測定部２１１と、ＣＱＩ決定部２１２と、繰り返し回数制御部２１３とから主に構成される。
【００３９】
基地局装置１００において、送信フレーム作成部１０１は、送信データから送信フレームを作成し、変調部１０２に出力する。変調部１０２は、送信フレーム作成部１０１から出力された送信フレームを変調し、拡散部１０３に出力する。拡散部１０３は、変調後の信号を拡散し、送信無線部１０４に出力する。送信無線部１０４は、拡散変調後の信号をベースバンド周波数から無線周波数に変換し、アンテナ共用部１０５およびアンテナ１０６を介して通信端末装置２００に送信する。
【００４０】
通信端末装置２００において、受信無線部２０７は、基地局装置１００から送信された無線信号を、アンテナ２０６およびアンテナ共用部２０５を介して受信し、この無線信号を無線周波数からベースバンド周波数に変換し、逆拡散部２０８に出力する。逆拡散部２０８は、受信無線部２０７から出力された信号を逆拡散し、復調部２０９およびＳＩＲ測定部２１１に出力する。復調部２０９は、逆拡散部２０８から出力された信号を復調し、復号部２１０に出力する。復号部２１０は、復調後の信号を復号し、受信データを得る。また、ＳＩＲ測定部２１１は、逆拡散部２０８から出力される逆拡散後の既知信号（パイロット信号）からＳＩＲを測定し、ＣＱＩ決定部２１２に出力する。ＣＱＩ決定部２１２は、測定されたＳＩＲに基づいて、自機が受信可能な下りの伝送レート情報（ＣＱＩ）を決定し、送信フレーム作成部２０１に出力する。なお、ＳＩＲ以外からＣＱＩを決定してもよい。例えば、ＣＩＲを測定し、測定されたＣＩＲからＣＱＩを決定してもよい。
【００４１】
繰り返し回数制御部２１３は、ＣＱＩを送信する際の繰り返し回数を送信フレーム作成部２０１に出力する。送信フレーム作成部２０１は、送信データから送信フレームを作成し、変調部２０２に出力する。この送信フレームは連続したサブフレームから構成される。このとき、送信フレームには送信データと共にＣＱＩ決定部２１２から出力されたＣＱＩ信号も、繰り返し回数制御部２１３から出力された繰り返し回数の数のＣＱＩ信号が連続したサブフレームにそれぞれ埋め込まれる。変調部２０２は、送信フレーム作成部２０１から出力された送信フレームを変調し、拡散部２０３に出力する。拡散部２０３は、変調後の信号を拡散し、送信無線部２０４に出力する。送信無線部２０４は、拡散変調後の信号をベースバンド周波数から無線周波数に変換し、アンテナ共用部２０５およびアンテナ２０６を介して基地局装置１００に送信する。
【００４２】
一方、基地局装置１００において、受信無線部１０７は、通信端末装置２００から送信された無線信号を、アンテナ１０６およびアンテナ共用部１０５を介して受信し、この無線信号を無線周波数からベースバンド周波数に変換し、逆拡散部１０８に出力する。逆拡散部１０８は、受信無線部１０７から出力された信号を逆拡散し、復調部１０９およびＳＩＲ測定部１１１に出力する。復調部１０９は、逆拡散部１０８から出力された信号を復調し、バッファ１１０に出力する。バッファ１１０は、復調部１０９から出力された信号のうち、ＣＱＩ信号を保持し、それ以外の信号を復号部１１４に出力する。復号部１１４は、バッファ１１０から出力された復調後の信号を復号し、受信データを得る。
【００４３】
ＳＩＲ測定部１１１は、逆拡散部１０８から出力された逆拡散後のパイロット信号から受信ＳＩＲを測定し、ＣＱＩ合成回数決定部１１２に出力する。ＣＱＩ合成回数決定部１１２は、ＳＩＲ測定部１１１から出力された受信ＳＩＲに基づいて、ＣＱＩの復号時の合成回数（以下「ＣＱＩ合成回数」と呼ぶ）を決定し、ＣＱＩ合成回数をＣＱＩ合成回数制御部１１３に出力する。例えば、ＳＩＲ等の受信品質が悪い時のＣＱＩ合成回数は、ＳＩＲ等の受信品質が良い時の合成回数より多くなる。
【００４４】
バッファ１１０に保持されているＣＱＩ信号の数が決定されたＣＱＩ合成回数に達したとき、ＣＱＩ合成回数制御部１１３は、保持されているＣＱＩ信号を復号部１１４に出力することをバッファ１１０に指示し、決定されたＣＱＩ合成回数でＣＱＩ信号を復号することを復号部１１４に指示する。
【００４５】
ＣＱＩ合成回数制御部１１３から保持されているＣＱＩ信号を出力することを指示されたとき、バッファ１１０は、保持されているＣＱＩ信号を復号部１１４に出力し、バッファの中身を消去する。ＣＱＩ合成回数制御部１１３から決定された合成回数でＣＱＩ信号を復号することを指示されたとき、復号部１１４は、バッファ１１０から出力されたＣＱＩ信号をＣＱＩ合成回数制御部１１３で決定された合成回数で復号し、復号されたＣＱＩ値をスケジューラ１１５に出力する。
【００４６】
ここで、バッファ１１０から出力されたＣＱＩ信号をＣＱＩ合成回数制御部１１３で決定された合成回数で復号することは、バッファ１１０から出力された合成回数分全てのＣＱＩ信号を合成して復号することである。例えば、合成回数が１回の場合は、１個のＣＱＩ信号で復号する。合成回数が２回の場合は、バッファ１１０に保持されている２個のＣＱＩ信号を合成して復号し、１個の復号結果を得る。
【００４７】
スケジューラ１１５は、復号部１１４から出力されたＣＱＩ値に基づいて送信データの伝送レートを決定し、この伝送レートを送信フレーム作成部１０１に出力する。送信フレーム作成部１０１は、スケジューラ１１５から通知された伝送レートに基づいて送信フレームを作成する。
【００４８】
次に、基地局装置１００のＣＱＩ復号の動作について説明する。図３は、本実施の形態の基地局装置と通信端末装置のＣＱＩに関する動作を示す図である。
【００４９】
通信端末装置２００からｔ１のタイミングで所定の繰り返し回数が２で送信されたＣＱＩ１は、ｔ１’のタイミングで基地局装置１００で受信される。また、通信端末装置２００からｔ２のタイミングで所定の繰り返し回数が２で送信されたＣＱＩ２は、ｔ２’のタイミングで基地局装置１００で受信される。ｔ１’及びｔ２’のタイミングでＣＱＩを受信した例では、基地局装置１００が合成回数を１回と決定したので、基地局装置１００でＣＱＩ信号が１回目に受信された時点で、ＣＱＩ信号は復号される。この場合、２回目のＣＱＩ信号は受信されたり復号されたりしない。一方、通信端末装置２００からｔ３のタイミングで所定の繰り返し回数が２で送信されたＣＱＩ３は、ｔ３’のタイミングで基地局装置１００で受信される。ｔ３’のタイミングでＣＱＩを受信した例では、基地局装置１００が合成回数を２回と決定したので、基地局装置１００でＣＱＩ信号が２回目に受信された時点で、ＣＱＩ信号は１回目の受信と２回目の受信を合成して合成回数が２回で復号される。
【００５０】
図４は、本実施の形態の基地局装置１００のＣＱＩの受信方法の手順を示すフロー図である。図４において、アンテナ１０６、アンテナ共用部１０５、および受信無線部１０７を介し受信（ＳＴ４００）された受信信号は、逆拡散部１０８において逆拡散され、ＣＱＩ信号と既知信号（パイロット信号）に分離され（ＳＴ４０１）、ＣＱＩ信号は、復調部１０９において復調され、バッファ１１０に出力され、ＣＱＩ信号が保持される（ＳＴ４０２）。
【００５１】
受信ＳＩＲは、逆拡散部１０８から出力された逆拡散後のパイロット信号から、ＳＩＲ測定部１１１で測定される（ＳＴ４０３）。ＣＱＩ合成回数は、ＳＩＲ測定部１１１で測定された受信ＳＩＲに基づいて、ＣＱＩ合成回数決定部１１２で決定される（ＳＴ４０４）。具体的には、ＣＱＩ合成回数決定部１１２は、受信ＳＩＲが大きいときはＣＱＩ合成回数を少なくし、受信ＳＩＲが小さいときはＣＱＩ合成回数を多くする。
【００５２】
例えば、所定の繰り返し回数が２でＣＱＩが通信端末装置から送信されているとすると、受信ＳＩＲが所定のしきい値以上のときはＣＱＩ合成回数を１回と決定し、受信ＳＩＲが所定のしきい値より小さいときはＣＱＩ合成回数を２回と決定する。なお、基地局装置で決定するＣＱＩ合成回数は、通信端末装置が送信するＣＱＩの所定の繰り返し回数以下とする。
【００５３】
バッファ１１０に保持されているＣＱＩ信号の数がＣＱＩ合成回数に達したとき（ＳＴ４０５）、バッファ１１０に保持されているＣＱＩ信号は、復号部１１４に出力され、バッファ１１０の中身は消去される（ＳＴ４０６）。バッファ１１０から出力されたＣＱＩ信号は、復号部１１４において決定されたＣＱＩ合成回数で復号され（ＳＴ４０７）、復号されたＣＱＩ値はスケジューラ１１５に出力される（ＳＴ４０８）。
【００５４】
このように、本実施の形態の基地局装置によれば、通信端末装置が所定の回数繰り返してＣＱＩを基地局装置に送信し、基地局装置が受信されたＣＱＩの復号時に合成する最適な回数を決定し、決定された合成回数に従ってＣＱＩ信号を復号することで、受信データの尤度とＣＱＩの受信性能の関係から、受信性能を十分に保つことができ、ＣＱＩの受信性能を十分に保ちつつ、通信端末装置で伝送レート要求の送信電力を上げることなく通信システム全体のスループットを上げることができる。
【００５５】
この結果、尤度が大きい場合、ＣＱＩの受信性能が良いため、ＣＱＩ信号を少ない回数で合成して復号することにより、伝送レート要求の反映時間を早くすることができる。また、尤度が小さい場合、伝送レート要求の受信性能が悪いため、ＣＱＩ信号を多くの回数で合成して復号することにより、伝送レート要求の受信性能を向上させることができる。
【００５６】
なお、ここでは、受信データの尤度としてＳＩＲを用いる場合を例にとって説明したが、ＳＩＲに限らずＣＩＲ、ＲＳＳＩ（Received Signal Strength Indicator）等の受信品質を用いてもよい。また、受信データの尤度として、軟判定値や相関値や受信信号の電力レベル（受信レベル）を用いてもよい。なお、軟判定値とは、逆拡散後の振幅情報、位相情報、振幅情報と位相情報、基準信号点からのユークリッド距離等を表す。
【００５７】
（実施の形態２）
図５は、本発明の実施の形態２に係る基地局装置５００の構成を示すブロック図である。但し、図１と同一の構成となるものについては、図１と同一番号を付し、詳しい説明を省略する。
【００５８】
図５の基地局装置５００は、移動速度検出部５０１と、ＣＱＩ合成回数決定部５０２とを具備し、通信相手の通信端末装置の移動速度を検出し、その結果に基づいてＣＱＩ合成回数を決定する点が図１の基地局装置と異なる。
【００５９】
図５において、移動速度検出部５０１は、逆拡散部１０８から出力される逆拡散後のデータから既知信号（パイロット信号）を分離し、現在の既知信号の位相が１つ前に受信した既知信号の位相に対してどれだけ回転しているかを求め、これから通信相手の通信端末装置の移動速度を検出し、ＣＱＩ合成回数決定部５０２に出力する。ＣＱＩ合成回数決定部５０２は、移動速度検出部５０１から出力された移動速度に基づいて、ＣＱＩ合成回数を決定し、ＣＱＩ合成回数をＣＱＩ合成回数制御部１１３に出力する。他の動作は実施の形態１と同様である。
【００６０】
ＣＱＩ合成回数は、移動速度とＣＱＩの受信性能の関係から決定される。例えば、移動速度が速いときにＣＱＩの受信性能が劣化する基地局装置では、移動速度が速い場合は多い回数でＣＱＩを合成して復号し、移動速度が遅い場合は少ない回数でＣＱＩを合成して復号する。また、移動速度が遅いときにＣＱＩの受信性能が劣化する基地局装置では、移動速度が速い場合は少ない回数でＣＱＩを合成して復号し、移動速度が遅い場合は多い回数でＣＱＩを合成して復号する。
【００６１】
このように、本実施の形態の基地局装置によれば、通信相手の通信端末装置の移動速度を検出し、移動速度からＣＱＩの復号時に合成する最適な回数を決定することにより、移動速度がＣＱＩの受信性能に影響することを考慮してＣＱＩの受信性能を十分に保つことができ、通信システム全体のスループットを上げることができる。
【００６２】
なお、本実施の形態を実施の形態１と組み合わせて用いてもよい。すなわち、受信データの尤度と移動速度からＣＱＩ合成回数を決定してもよい。
【００６３】
（実施の形態３）
本実施の形態の特徴は、通信端末装置がＣＱＩを送信する回数が、基地局装置が決定したＣＱＩを合成する回数と一致しない状態が続く場合に、基地局装置が上位装置に対して、通信端末装置がＣＱＩを繰り返し送信する回数を変更することを要求し、上位装置はＣＱＩの繰り返し回数を変更して送信する指示を、基地局装置を介して通信端末装置に送信し、通信端末装置はこの指示を受け取り、この指示に従ってＣＱＩの繰り返し送信する回数を変更することである。
【００６４】
図６は、本発明の実施の形態３に係る通信システムの構成を示す図である。図６では、本発明の実施の形態３に係る基地局装置６００と上位装置６０１と通信端末装置６０２との関係を示す。
【００６５】
図６において、基地局装置６００は、通信端末装置６０２がＣＱＩの送信を繰り返す回数を変更することを、上位装置６０１に要求する。上位装置６０１は、基地局装置６００からの要求に応じて、ＣＱＩの送信を繰り返す回数を変更する指示を、基地局装置６００を介して通信端末装置６０２に送る。通信端末装置６０２は、ＣＱＩの送信を繰り返す回数を変更する指示を受け取り、この指示に従って、ＣＱＩの送信を繰り返す回数を変更する。
【００６６】
以下、基地局装置６００と通信端末装置６０２の詳細について説明する。図７は、本発明の実施の形態３に係る基地局装置の構成を示すブロック図である。但し、図１と同一の構成となるものについては、図１と同一番号を付し、詳しい説明を省略する。
【００６７】
図７において、ＣＱＩ合成回数制御部７００は、ＣＱＩ合成回数の分布から、通信端末装置６０２がＣＱＩの送信を繰り返す回数を変更するか否かを判定する。例えば、通信端末装置６０２がＣＱＩを送信する際の所定の繰り返し回数よりも、基地局装置６００においてＣＱＩ合成回数を少なくする決定が所定の回数続いた場合、ＣＱＩ合成回数制御部７００は、通信端末装置６０２がＣＱＩの送信を繰り返す回数を少なくするように、上位装置６０１に要求する。
【００６８】
また、基地局装置６００においてＣＱＩ合成回数を多くする決定が続いたが、実際にはＣＱＩ合成回数を所定の繰り返し回数よりも多くすることができず、ＣＱＩ合成回数を変更できない場合、ＣＱＩ合成回数制御部７００は、通信端末装置６０２がＣＱＩの送信を繰り返す回数を多くするように、上位装置６０１に要求する。
【００６９】
なお、ＣＱＩ合成回数制御部７００におけるＣＱＩ合成回数を少なくする決定が所定の回数の計測は連続した回数でも良く、また、所定の期間内の回数等の頻度で判定してもよい。例えば、ＣＱＩ合成回数制御部７００は、ある所定の期間観測して、基地局装置６００においてＣＱＩ合成回数を少なくする決定が所定の回数以上である場合、ＣＱＩ合成回数制御部７００は、通信端末装置６０２がＣＱＩの送信を繰り返す回数を少なくしてもよい。同様に、ＣＱＩ合成回数制御部７００は、ある所定の期間観測して、基地局装置６００においてＣＱＩ合成回数を多くする決定が所定の回数以上である場合、ＣＱＩ合成回数制御部７００は、通信端末装置６０２がＣＱＩの送信を繰り返す回数を多くしてもよい。
【００７０】
上位装置６０１は、基地局装置６００からの要求を受け取り、ＣＱＩの送信を繰り返す回数を変更する指示を基地局装置６００に送る。
【００７１】
基地局装置６００は、上位装置６０１からのＣＱＩの送信を繰り返す回数を変更する指示をＣＱＩ合成回数制御部７００で受け取る。ＣＱＩ合成回数制御部７００は、ＣＱＩの送信を繰り返す回数を変更する指示を、ＣＱＩ合成回数決定部７０１と送信フレーム作成部７０２に送る。ＣＱＩ合成回数決定部７０１は、上位装置６０１からの指示によって変更されたＣＱＩの所定の繰り返し回数を用いて、ＣＱＩ合成回数を決定する。送信フレーム作成部７０２は、ＣＱＩの送信を繰り返す回数を変更する指示にしたがって送信フレームを作成し、変調部１０２、拡散部１０３、送信無線部１０４、アンテナ共用部１０５、アンテナ１０６を介して、通信端末装置６０２に送信する。
【００７２】
次に、通信端末装置について説明する。図８は、本発明の実施の形態３に係る通信端末装置の構成を示すブロック図である。但し、図２と同一の構成となるものについては、図２と同一番号を付し、詳しい説明を省略する。
【００７３】
図８において、アンテナ２０６、アンテナ共用部２０５、受信無線部２０７、逆拡散部２０８、復調部２０９を介して復調した信号を、復号部８０１に出力する。復号部８０１は、復調後の信号を復号し、ＣＱＩの送信を繰り返す回数を変更する指示を繰り返し回数制御部８００に送る。繰り返し回数制御部８００は、ＣＱＩの送信を繰り返す回数を変更する指示に従って、ＣＱＩを送信する際の繰り返し回数を変更し、繰り返し回数を送信フレーム作成部２０１に出力する。
【００７４】
ＣＱＩの送信を繰り返す回数を少なくすることを指示された場合、繰り返し回数制御部８００は、ＣＱＩを送信する際の繰り返し回数を少なくして、繰り返し回数を送信フレーム作成部２０１に出力する。また、ＣＱＩの送信を繰り返す回数多くすることを指示された場合、繰り返し回数制御部８００は、ＣＱＩを送信する際の繰り返し回数を多くして、繰り返し回数を送信フレーム作成部２０１に出力する。
【００７５】
例えば、通信端末装置６０２が所定の繰り返し回数が２でＣＱＩを送信し、基地局装置６００において所定の回数連続してＣＱＩ合成回数を１とする決定が続いた場合、ＣＱＩ合成回数制御部７００は、通信端末装置６０２が繰り返し回数を１としてＣＱＩを送信することを、上位装置６０１に要求する。上位装置６０１は、基地局装置６００からの要求に応じて、ＣＱＩの送信を繰り返す回数を１に変更する指示を、基地局装置６００を介して通信端末装置６０２に送る。ＣＱＩの繰り返し回数を１で送信する指示を受け取った場合、繰り返し回数制御部８００は、ＣＱＩを送信する際の繰り返し回数を２から１に変更して、繰り返し回数１を送信フレーム作成部２０１に出力する。
【００７６】
また、通信端末装置６０２が所定の繰り返し回数が２でＣＱＩを送信し、基地局装置６００において所定の回数連続してＣＱＩ合成回数を３とする決定が続いたが、ＣＱＩを送信する際の繰り返し回数よりもＣＱＩ合成回数を多くすることができない。そこで、実際にはＣＱＩ合成回数を変更できない場合、ＣＱＩ合成回数制御部７００は、通信端末装置６０２が繰り返し回数を３としてＣＱＩを送信することを、上位装置６０１に要求する。上位装置６０１は、基地局装置６００からの要求に応じて、ＣＱＩの送信を繰り返す回数を３に変更する指示を、基地局装置６００を介して通信端末装置６０２に送る。ＣＱＩの繰り返し回数を３で送信する指示を受け取った場合、繰り返し回数制御部８００は、ＣＱＩの送信を繰り返す回数を２から３に変更して、繰り返し回数３とすることを送信フレーム作成部２０１に出力する。
【００７７】
なお、ＣＱＩ合成回数の分布に基づいて、通信端末装置がＣＱＩの送信を繰り返す回数を変更するように、基地局装置が上位装置に要求しているが、直接受信データの尤度や移動速度に基づいて、通信端末装置がＣＱＩの送信を繰り返す回数を変更するように、基地局装置が上位装置に要求してもよい。
【００７８】
このように、本実施の形態の基地局装置及び通信端末装置によれば、基地局装置が希望するＣＱＩ合成回数で通信端末装置がＣＱＩを繰り返し送信していない場合、基地局装置が上位装置にＣＱＩの送信を繰り返す回数を変更することを要求し、上位装置はＣＱＩの送信を繰り返す回数を変更する指示を、基地局装置を介して通信端末装置に送信し、通信端末装置はこの指示に従ってＣＱＩの送信を繰り返す回数を変更することにより、通信端末装置がＣＱＩを繰り返し送信する回数を適切な回数とすることができ、通信端末装置の電力を低減することと、基地局装置でのＣＱＩの受信性能を向上させることができる。
【００７９】
具体的には、本実施の形態の基地局装置及び通信端末装置によれば、通信端末装置がＣＱＩを送信する際の所定の繰り返し回数よりも、基地局装置においてＣＱＩ合成回数を少なくする決定が続いた場合、通信端末装置がＣＱＩの送信を繰り返す回数を少なくすることにより、通信端末装置の電力を低減することができる。
【００８０】
また、本実施の形態の基地局装置及び通信端末装置によれば、通信端末装置がＣＱＩを送信する際の所定の繰り返し回数よりも、基地局装置においてＣＱＩ合成回数を多くする決定が続いたが、実際には所定の繰り返し回数よりも多くすることができないためＣＱＩ合成回数を変更できない場合、通信端末装置がＣＱＩの送信を繰り返す回数を多くすることにより、基地局装置でのＣＱＩの受信性能を向上させることができる。
【００８１】
なお、本実施の形態では、基地局装置からの要求に応じて、上位装置がＣＱＩの繰り返し回数を変更するように制御しているが、基地局装置からの要求にそのまま従うのではなく、上位装置がＣＱＩの繰り返し回数を変更するか否かを判断してもよい。また、上位装置が判断するのではなく、基地局装置や通信端末装置が判断してもよい。基地局装置が判断する場合、ＣＱＩの繰り返し回数を変更することを上位装置と通信端末装置に報告する。このとき、基地局装置は直接通信端末装置に報告する。通信端末装置が判断する場合、ＣＱＩの送信を繰り返す回数を変更するように基地局装置は通信端末装置に要求し、通信端末装置がその要求からＣＱＩの送信を繰り返す回数を変更するか否かを判断する。ＣＱＩの繰り返し回数を変更する場合は、通信端末装置から基地局装置と上位装置にＣＱＩの繰り返し回数を変更することを報告する。
【００８２】
また、本実施の形態を実施の形態１と２と組み合わせて用いてもよい。
【００８３】
なお、本発明に係る基地局装置は、バッファに保持されたＣＱＩ信号の数が１のときに１個のＣＱＩ信号を合成回数１回でいったん復号し、復号されたＣＱＩ値が低い、すなわち通信端末装置の伝送レートが低い要求のとき、ＣＱＩ合成回数を少なくしてもよい。
【００８４】
これにより、ＣＱＩ合成回数を決定する前に、１個のＣＱＩ信号を合成回数１回でいったん復号し、復号されたＣＱＩ値が低い場合、通信システムに与える影響が小さいので、ＣＱＩ信号を少ない回数で合成して復号することにより、伝送レート要求の反映時間を早くすることができる。
【００８５】
また、本発明に係る基地局装置は、バッファに保持されたＣＱＩ信号の数が１のときに１個のＣＱＩ信号を合成回数１回でいったん復号し、復号されたＣＱＩ値が高い、すなわち通信端末装置の伝送レートが高い要求のとき、ＣＱＩ合成回数を多くしてもよい。
【００８６】
これにより、ＣＱＩ合成回数を決定する前に、１個のＣＱＩ信号を合成回数１回でいったん復号し、復号されたＣＱＩ値が高い場合、ＣＱＩ値自体の信頼性がより高いレベルで要求されるので、ＣＱＩ信号を多い回数で合成して復号することにより、ＣＱＩの受信性能を向上させて、信頼性の高いＣＱＩ値を得ることができる。
【００８７】
また、基地局装置がＣＱＩを誤受信することにより、誤受信したＣＱＩに基づいて決定された伝送レートで通信端末装置に下り回線の送信を行うと、通信端末装置側では、要求したものと異なる伝送レートでデータが送信されているため、データを誤って受信し、通信端末装置が基地局装置にＮＡＣＫ信号（再送を要求する信号）を送信することが考えられる。そこで、本発明に係る基地局装置は、通信端末装置から送信されたＮＡＣＫ信号の受信頻度が多い場合、ＣＱＩ合成回数を多くしてもよい。
【００８８】
これにより、基地局装置がＮＡＣＫ信号を多く受信している場合、基地局装置がＣＱＩを誤受信していると判断し、ＣＱＩ信号を多い回数で合成して復号することにより、ＣＱＩの受信性能を向上させることができる。
【００８９】
また、本発明に係るＣＱＩの基地局装置は、あらかじめＣＱＩ合成回数を決定して、バッファに保持されているＣＱＩ信号の数が決定されたＣＱＩ合成回数に達したとき、初めてＣＱＩ信号を復号しているが、ＣＱＩ信号を受信する度に復号し、受信データの尤度や移動速度が所定の条件を満たした場合、ＣＱＩ信号の復号を中止し、所定の条件を満たした時点でのＣＱＩを復号結果としてもよい。
【００９０】
例えば、所定の繰り返し回数が３でＣＱＩが通信端末装置から送信されているとし、受信データの尤度を相関値とする。基地局装置が１回目のＣＱＩ信号を受信して復号し、相関値を所定のしきい値と比較する。相関値が所定のしきい値以上の場合、１回目のＣＱＩ信号の復号結果をスケジューラに出力する。相関値が所定のしきい値より小さかった場合、２回目のＣＱＩ信号を受信して、１回目と２回目のＣＱＩ信号を合成して復号し、相関値を所定のしきい値と比較する。相関値が所定のしきい値以上の場合、１回目と２回目のＣＱＩ信号を合成して得られた復号結果をスケジューラに出力する。相関値が所定のしきい値より小さかった場合、所定の繰り返し回数が３でＣＱＩが通信端末装置から送信されているので、３回目のＣＱＩ信号を受信して、１回目と２回目と３回目のＣＱＩ信号を合成して復号し、１回目と２回目と３回目のＣＱＩ信号を合成して得られた復号結果をスケジューラに出力する。
【００９１】
これにより、伝送レート要求の復号を途中で中止することにより、伝送レート要求の受信性能を十分に保ちつつ、伝送レート要求の反映時間を早くすることができる。
【００９２】
また、本発明に係るＣＱＩの受信方法は、基地局装置に限定されず、ＣＱＩ（もしくは同様の概念の情報）を用いて送信データの伝送レートを決定する無線通信装置に適用することが可能であり、これにより上記と同様の作用効果を有する無線通信装置を提供することができる。
【００９３】
また、上記説明では、同一タイムスロットで複数の通信端末装置にパケットをコード多重するＨＳＤＰＡを用いてパケットを伝送する例について説明しているが、これに限らず、複数の通信端末装置宛にパケットを多重化してスケジューリングを行う通信であれば、いずれにも適用できる。
【００９４】
例えば、複数の通信端末装置にパケットをコード多重、または時間多重、あるいは周波数多重してスケジューリングを行う通信であれば、いずれにも適用できる。時間多重の場合、あるフレーム単位の中の複数のタイムスロットでスケジューリングを行う。周波数多重の場合、同一タイムスロットで周波数毎にスケジューリングを行う。
【００９５】
なお、本発明は上記実施の形態に限定されず、種々変更して実施することが可能である。例えば、上記実施の形態では、無線受信装置として行う場合について説明しているが、これに限られるものではなく、この受信方法をソフトウェアとして行うことも可能である。
【００９６】
例えば、上記受信方法を実行するプログラムを予めＲＯＭ（Read Only Memory）に格納しておき、そのプログラムをＣＰＵ（Central Processor Unit）によって動作させるようにしても良い。
【００９７】
また、上記受信方法を実行するプログラムをコンピュータで読み取り可能な記憶媒体に格納し、記憶媒体に格納されたプログラムをコンピュータのＲＡＭ（Random Access Memory）に記録して、コンピュータをそのプログラムにしたがって動作させるようにしても良い。
【産業上の利用可能性】
【００９８】
本願発明は、無線通信装置及び基地局装置に用いて好適である。
【図面の簡単な説明】
【００９９】
【図１】本発明の実施の形態１に係る基地局装置の構成を示すブロック図
【図２】本発明の実施の形態１に係る通信端末装置の構成を示すブロック図
【図３】上記実施の形態の基地局装置と通信端末装置のＣＱＩに関する動作を示す図
【図４】上記実施の形態の基地局装置のＣＱＩの受信方法の手順を示すフロー図
【図５】本発明の実施の形態２に係る基地局装置の構成を示すブロック図
【図６】本発明の実施の形態３に係る通信システムの構成を示す図
【図７】本発明の実施の形態３に係る基地局装置の構成を示すブロック図
【図８】本発明の実施の形態３に係る通信端末装置の構成を示すブロック図
【符号の説明】
【０１００】
１０１、２０１、７０２  送信フレーム作成部
１０２、２０２  変調部
１０３、２０３  拡散部
１０８、２０８  逆拡散部
１０９、２０９  復調部
１１０  バッファ
１１１、２１１  ＳＩＲ測定部
１１２、５０２、７０１  ＣＱＩ合成回数決定部
１１３、７００  ＣＱＩ合成回数制御部
１１４、２１０、８０１  復号部
１１５  スケジューラ
２１２  ＣＱＩ決定部
２１３、８００  繰り返し回数制御部
５０１  移動速度検出部
【図１】
2005167389.tif 000003
【図２】
2005167389.tif 000004
【図３】
2005167389.tif 000005
【図４】
2005167389.tif 000006
【図５】
2005167389.tif 000007
【図６】
2005167389.tif 000008
【図７】
2005167389.tif 000009
【図８】
2005167389.tif 000010